(57)【要約】【課題】  ＵＳＢプラグと映像信号及び音声信号からなるＡＶプラグを一体化したケーブルにして、共通部品を共有化してコストダウンを図った接続コードを提供する。【解決手段】  接続コードは、一端側に接続されたＵＳＢ信号を取り扱うＵＳＢプラグと、映像信号を取り扱う映像プラグと、モノラルの音声信号を取り扱う音声プラグとの３つのプラグを他端側で1つとして取り扱うマルチプラグとを備えた接続コードであって、前記マルチプラグ側においては、前記一端側の各プラグに対応する信号を1列の複数端子に配列されていると共に、前記ＵＳＢ信号の通信を行う端子と前記映像信号及び音声信号の通信を行う端子とをそれぞれ分けて配置されていることである。【選択図】  図１
2006032226.tif 000002
【特許請求の範囲】
【請求項１】
一端側に接続されたＵＳＢ信号を取り扱うＵＳＢプラグと、映像信号を取り扱う映像プラグと、モノラルの音声信号を取り扱う音声プラグとの３つのプラグを他端側で1つとして取り扱うマルチプラグとを備えた接続コードであって、
前記マルチプラグ側においては、前記一端側の各プラグに対応する信号を1列の複数端子に配列されていると共に、前記ＵＳＢ信号の通信を行う端子と前記映像信号及び音声信号の通信を行う端子とをそれぞれ分けて配置されていることを特徴とする接続コード。
【請求項２】
前記マルチプラグは、ＵＳＢ信号が５ピン、映像信号が２ピン、音声信号が２ピンの合計で９ピン使用する構成になっており、これらに対応する端子は、合計で１３ピン対応にして、適宜機能追加を可能な構成にしたことを特徴とする請求項１に記載の接続コード。
【請求項３】
前記マルチプラグは、ＵＳＢ信号、映像信号及び音声信号のそれぞれを基板にマウントするようにしたことを特徴とする請求項１に記載の接続コード。
【請求項４】
前記ＵＳＢ信号、映像信号及び音声信号を扱うケーブルは１本の複合電線になっていると共に、ＵＳＢ信号と映像信号及び音声信号は電線内で分けられ、夫々が個別の要求性能を満たす構造に形成すると共に、同時使用をしたときに互いにクロストークしないように絶縁手段を施したことを特徴とする請求項１に記載の接続コード。
【請求項５】
前記複合電線に１個のフェライトコアを取付けたことを特徴とする請求項４に記載の接続コード。
【請求項６】
更に、一端側のＵＳＢプラグケーブルにＵＳＢ用のフェライトコアを取付けたことを特徴とする請求項５に記載に接続コード。
【請求項７】
前記マルチプラグに、ＵＳＢ信号と映像信号及び音声信号を切り替える切り替えスイッチを備えたことを特徴とする請求項１に記載の接続コード。
【発明の詳細な説明】
【技術分野】
【０００１】
本発明は、接続コードに関し、詳しくは一端側に設けられた複数のプラグを他端側で１つとして取り扱うマルチプラグで形成された接続コードに関する。
【背景技術】
【０００２】
従来技術における接続コードは、例えばデジタルスチルカメラで撮った静止画像はＵＳＢ専用ケーブルでパソコンに記録し、静止画、動画（映像・音声）はＡＶ専用のケーブルでＴＶモニターに表示するようにして、それぞれ別ケーブルを用いているものが周知である。
【０００３】
ＵＳＢ専用ケーブルは、図１０に示すように、一端側はＵＳＢ信号を取り扱うＵＳＢプラグ１０１で形成され、他端側はマルチプラグ１０２で構成され、ケーブルの途中に輻射対策としてフェライトコア１０３を取付けた構成になっている。
【０００４】
ＡＶ専用のケーブルは、図１１に示すように、一端側には映像信号を取り扱う映像プラグ１１１及びモノラルな音声信号を取り扱う音声プラグ１１２を備え、他端側はマルチプラグ１０２で構成され、ケーブルの途中に輻射対策としてフェライトコア１０３を取付けた構成になっている。
【特許文献１】特開２００３−７７５８０号（第３頁  第１図）
【発明の開示】
【発明が解決しようとする課題】
【０００５】
しかしながら、従来技術で説明した接続コードにおいては、一対一の関係でプラグとマルチプラグがケーブルを介して接続されているため、マルチプラグの材料費が結構高くついてしまうことと、用途に応じてユーザーがそれぞれのケーブルを付け替える必要があり、結構嵩張ると共に付け替えが面倒であるという問題がある。
【０００６】
従って、機器で使用する機能を満たすためのプラグ又はコネクタを１つにして、材料費の抑制及び使い勝手を向上させることに解決しなければならない課題を有する。
【課題を解決するための手段】
【０００７】
上記課題を解決するために、本願発明の接続コードは、次に示す構成にすることである。
【０００８】
（１）接続コードは、一端側に接続されたＵＳＢ信号を取り扱うＵＳＢプラグと、映像信号を取り扱う映像プラグと、モノラルの音声信号を取り扱う音声プラグとの３つのプラグを他端側で1つとして取り扱うマルチプラグとを備えた接続コードであって、前記マルチプラグ側においては、前記一端側の各プラグに対応する信号を1列の複数端子に配列されていると共に、前記ＵＳＢ信号の通信を行う端子と前記映像信号及び音声信号の通信を行う端子とをそれぞれ分けて配置されていることである。
（２）前記マルチプラグは、ＵＳＢ信号が５ピン、映像信号が２ピン、音声信号が２ピンの合計で９ピン使用する構成になっており、これらに対応する端子は、合計で１３ピン対応にして、適宜機能追加を可能な構成にしたことを特徴とする（１）に記載の接続コード。
（３）前記マルチプラグは、ＵＳＢ信号、映像信号及び音声信号のそれぞれを基板にマウントするようにしたことを特徴とする（１）に記載の接続コード。
（４）前記ＵＳＢ信号、映像信号及び音声信号を扱うケーブルは１本の複合電線になっていると共に、ＵＳＢ信号と映像信号及び音声信号は電線内で分けられ、夫々が個別の要求性能を満たす構造に形成すると共に、同時使用をしたときに互いにクロストークしないように絶縁手段を施したことを特徴とする（１）に記載の接続コード。
（５）前記複合電線に１個のフェライトコアを取付けたことを特徴とする（４）に記載の接続コード。
（６）更に、一端側のＵＳＢプラグケーブルにＵＳＢ用のフェライトコアを取付けたことを特徴とする（５）に記載に接続コード。
（７）前記マルチプラグに、ＵＳＢ信号と映像信号及び音声信号を切り替える切り替えスイッチを備えたことを特徴とする（１）に記載の接続コード。
【発明の効果】
【０００９】
ＵＳＢケーブルとＡＶケーブルを一体化することにより、電線、プラグ、フェライトコアなどの部材を共通に使用できることにより、ケーブル単価のコストダウンが可能になる。
又、一体化することで梱包箱、結束材料、ビニール袋などの副資材の共通化を図ることができる。
更に、ＡＶケーブルとＵＳＢケーブルを一本化することにより輸送費や管理費などコストダウンを図ることができる。
【００１０】
ＵＳＢケーブル／ＡＶケーブル一本化により持ち運びや接続などの取扱いが容易となり、ＵＳＢ／ＡＶ切り替えもケーブル上のスイッチのＯＮ／ＯＦＦにより同時接続した状態で切り替えることができ、操作性を向上させることができる。
【発明を実施するための最良の形態】
【００１１】
次に、本願発明に係る接続コードの実施形態について、図面を参照して、以下説明する。
【実施例１】
【００１２】
本願発明の接続コード１０は、図１に示すように、一端側にＵＳＢ信号を受信するためのＵＳＢプラグ１１、音声信号を受信するための音声プラグ１２及び映像信号を受信するための映像プラグ１３を設け、これらの線は途中に設けた分岐部１４で一緒に束ねられ、他端側に設けたＵＳＢプラグ１１と音声プラグ１２及び映像プラグ１３からの信号を１つのプラグにしたマルチプラグ１５とから構成されている。そして、分岐部１４とマルチプラグ１５の間の複合電線１６には、フェライトコア１７が設けられ、分岐部１４とＵＳＢプラグ１１との間のケーブルにはＵＳＢ専用のフェライトコア１８を設けた構成になっている。
【００１３】
分岐部１４で束ねられた電線、即ち、複合電線１６は、図２に示すように、それぞれが固有の電線で構成され、先ず、ＵＳＢ信号を通過させる電線構造は、２つの信号線Ｄ＋、Ｄ−と、電源を供給する電源線ＶＢＵＳ、接地線ＵＳＢ−ＧＮＤで構成され、信号線Ｄ＋の周囲は絶縁部材の内部被覆部材２１で覆い、信号線Ｄ−の周囲は絶縁部材の内部被覆部材２２で覆い、電源線ＶＢＵＳの周囲は絶縁部材の内部被覆部材２３で覆い、接地線ＵＳＢ−ＧＮＤの周囲は絶縁部材の内部被覆部材２４で覆った構造となっている。これらの内部被覆部材２１、２２、２３、２４で覆われた信号線Ｄ＋、Ｄ−、電源線ＶＢＵＳ、接地線ＵＳＢ−ＧＮＤの全てを束にしてアルミ箔をスパイラル状に巻き付けて形成された外部導電部材２５、その外側に網状の導電性部材で覆った導電網部材２６、その外側に薄い絶縁性部材の外部絶縁部材２７で覆い、４つの線を束ねた構成になっている。
音声信号を通す信号線Ａ―ＯＵＴの周囲は絶縁部材の内部被覆部材２８で覆い、その外周を網状の導電性部材である接地線Ａ―ＧＮＤで覆い、最外周に絶縁性部材の外部被覆部材２９で覆った構造となっている。
映像信号を通す信号線Ｖ−ＯＵＴの周囲は絶縁部材の内部被覆部材３０で覆い、その外周を網状の導電性部材である接地線Ｖ―ＧＮＤで覆い、最外周に絶縁性部材の外部被覆部材３１で覆った構造となっている。
このように、ＵＳＢ信号と映像信号及び音声信号はクロストークなどの影響を考慮してそれぞれ物理的に分けて構成されており、ＵＳＢ信号はＤ＋、Ｄ−、ＶＢＵＳ、ＵＳＢ−ＧＮＤの各線を網状の導電網部材２６とアルミ箔の外部導電部材２５によりシールドした構造となっている。
又、映像信号及び音声信号は、Ｖ−ＯＵＴ、Ａ―ＯＵＴの線にそれぞれＧＮＤ線のＡ―ＧＮＤ、Ｖ−ＧＮＤが巻かれている。これを絶縁性部材の外被３２で覆うようにして一体線として複合電線が形成され、それぞれの信号線がシールドされることによりクロストークを低減し同時使用が可能になる。
【００１４】
そして、これらのＵＳＢの電線、音声信号の電線、映像信号の電線の３本の電線は、束ねられ、絶縁性部材の被覆部材である外被３２で１つの電線にした構造となっているのである。
【００１５】
マルチプラグ１５は、図３及び図４に示すように、絶縁性部材で形成された下カバーハウジング３５に複合電線１６を収納し、その線をハンダ付け等で接続する基板３６を備え、この基板３６にマウントされている１３ピンのコンタクト端子を備えたマルチコネクタ３７を備え、このマルチコネクタ３７を覆うように形成されているシャーシ３８、内部に金属製部材で形成されたロック端子３９を備えた構成になっている。
又、ロック端子３９の近傍位置にＵＳＢ信号と映像／音声信号とを切り替える切り替えスイッチ４０を設けた構造となっており、この切り替えスイッチ４０は、上カバーハウジング４１から露出した状態でＯＮ／ＯＦＦできる構造となっている。この切り替えスイッチ４０は、ＵＳＢ信号を形成する電源線ＶＢＵＳをＯＦＦできる構造となっており、これにより、ＵＳＢ信号の電源を強制的にＯＦＦすることで、ＵＳＢ信号の交信を遮断することができる。
このように切り替えスイッチ４０は基板３６上にマウントされており、ＵＳＢ信号の電源線ＶＢＵＳをＯＮ／ＯＦＦすることにより、パソコンやプリンターに接続されている場合でも映像信号及び音声信号をＴＶモニターに再生することが可能になる。
【００１６】
基板３６は、図５に示すように、複合電線１６とマルチコネクタ３７を接続するためにＵＳＢ信号（Ｄ＋、Ｄ−、ＶＢＵＳ、ＵＳＢ−ＧＮＤ）と映像信号及び音声信号（Ｖ−ＯＵＴ、Ｖ−ＧＮＤ、Ａ―ＯＵＴ、Ａ−ＧＮＤ）をパターン上に配線している。ハンダ付けの電極部もＵＳＢ信号（Ｄ＋、Ｄ−、ＶＢＵＳ、ＵＳＢ−ＧＮＤ）と映像信号及び音声信号（Ｖ−ＯＵＴ、Ｖ−ＧＮＤ、Ａ―ＯＵＴ、Ａ−ＧＮＤ）のそれぞれ接続線を物理的に分けて配置し、それぞれの個別の要求性能を満たすことは勿論、接続を容易にしている。
【００１７】
具体的に示せば複合電線からの様々な信号線と接続する１３個の端子４２を備え、その端子４２が、マルチコネクタの１３ピンのコンタクトに接続される構成になっている。  ＵＳＢ信号に関連する電線は、電源線Ｖ−が６Ｐの端子４２ｃ、信号線Ｄ＋が１０Ｐの端子４２ｅ、信号線Ｄ−が１２Ｐの端子４２ｆ、接地線ＵＳＢ−ＧＮＤが１４Ｐの端子４２ｇに接続されている。音声信号に関連する電線は、信号線Ａ―ＯＵＴが１６Ｐの端子４２ｈ、接地線Ａ―ＧＮＤが１８Ｐの端子４２ｉに接続されている。映像信号に関連する電線は、信号線Ｖ−ＯＵＴが２０Ｐの端子４２ｊ、接地線Ｖ−ＧＮＤが２２Ｐの端子４２ｋ、４２ｍに接続されている。
このように、各電線毎に物理的に分離した状態で端子４２に接続できる構造にすることで、各電線の配置によるクロストーク等の影響をなくすことができるのである。
【００１８】
複合電線１６に取付けられ、輻射対策に用いられるフェライトコア１７は、従来のようなＵＳＢ信号、映像信号及びモノラルな音声信号をそれぞれ独立した構成ではなく、複合電線１６上に１個のフェライトコアで構成されている。
これは複合電線を一ターンさせて取付けるもので、図６〜図８に示すように、縦割りにしたプラスチックケース４５の夫々にやはり縦割りにしたコア４６、４６を収納させた構成になっている。このように、ＵＳＢ信号、映像信号及びモノラルな音声信号それぞれの輻射対策を１個のフェライトコア１７で兼ねることにより共通化が可能となる。尚、コアは縦割りのものを使用しているが、これに限定されることなく、一体コアでもよい。
更に、輻射性能を向上させる手段として、一端側のＵＳＢプラグ若しくは映像プラグ及び音声プラグに小型のフェライトコアを取付ける構成でもよい。実施例においてはＵＳＢプラグに小型のフェライトコア１８を取付けた構成になっている（図１参照）。
【００１９】
次に、変形例として、図９に示すように、クレードル４５に、図３及び図４に示すマルチプラグ１５を取付けるようにする。即ち、マルチプラグ１５を構成するマルチコネクタ３７は基板３６上にマウントされる形態をとっているため、クレードル４５にも同じマルチコネクタ３７を使用できるようにすれば、このクレードル４５を利用する例えばデジタルスチルカメラ４６などの機器の互換を保ちながら、クレードル４５に載置したときに、このクレードル４５を介してのＵＳＢ信号、映像信号及び音声信号の通信が可能になる。
勿論、デジタルスチルカメラ４６に本発明の接続コード１０のマルチプラグ１５を差し込むことでＵＳＢ信号、映像信号及び音声信号の通信ができる。
【産業上の利用可能性】
【００２０】
ＵＳＢケーブルとＡＶケーブルを一体化することにより、電線、プラグ、フェライトコアなどの部材を共通に使用できることにより、ケーブル単価のコストダウンを図った接続コードを提供する。
【図面の簡単な説明】
【００２１】
【図１】本発明に係る接続コードの全体図である。
【図２】本発明に係る接続コードを構成する複合電線を断面した説明図である。
【図３】本発明に係るマルチプラグの全体図である。
【図４】本発明に係るマルチプラグの上カバーハウジングを外した様子を示した平面図である。
【図５】同、マルチプラグに収容されている基板を示した平面図である。
【図６】同、フェライトコアを縦割りにした平面図である。
【図７】同、フェライトコアを結合させた正面図である。
【図８】同、フェライトコアを結合させた側面図である。
【図９】クレードルにマルチプラグを応用したときの説明図である。
【図１０】従来技術におけるＵＳＢ専用のケーブルの全体図である。
【図１１】従来技術におけるＡＶ専用のケーブルの全体図である。
【符号の説明】
【００２２】
１０；接続コード、１１；ＵＳＢプラグ、１２；音声プラグ、１３；映像プラグ、１４；分岐部、１５；マルチプラグ、１６；複合電線、１７；フェライトコア（複合電線）、１８；フェライトコア（ＵＳＢプラグ）、２１；内部被覆部材、２２；内部被覆部材、２３；内部被覆部材、２４；内部被覆部材、２５；外部導電部材、２６；導電網部材、２７；外部絶縁部材、２８；内部被覆部材、２９；外部被覆部材、３０；内部被覆部材、３１；外部被覆部材、３２；外被、３５；下カバーハウジング、３６；基板、３７；マルチコネクタ、３８；シャーシ、３９；ロック端子、４０；切り替えスイッチ、４１；上カバーハウジング、４２；端子、４２ｃ；端子、４２ｅ；端子、４２ｆ；端子、４２ｇ；端子、４２ｈ；端子、４２ｉ；端子、４２ｊ；端子、４２ｋ；端子、４２ｍ；端子、４５；クレードル、４６；デジタルスチルカメラ。
【図１】
2006032226.tif 000003
【図２】
2006032226.tif 000004
【図３】
2006032226.tif 000005
【図４】
2006032226.tif 000006
【図５】
2006032226.tif 000007
【図６】
2006032226.tif 000008
【図７】
2006032226.tif 000009
【図８】
2006032226.tif 000010
【図９】
2006032226.tif 000011
【図１０】
2006032226.tif 000012
【図１１】
2006032226.tif 000013